(57)【特許請求の範囲】
【請求項１】
相変化型の光ディスクにレーザービームを照射して著作権に関する情報を記録する光ディスク装置において、
前記著作権に関する情報を前記光ディスクの所定領域に記録した後、該領域へのレーザービームの照射により、前記著作権に関する情報の記録の程度を劣化させ、
前記該領域へのレーザービームの照射が、
前記光ディスクに記録された前記著作権に関する情報をマスクするマスク信号の重ね書き記録である
光ディスク装置。
【請求項２】
前記該領域へのレーザービームの照射が、
前記著作権に関する情報の記録時に比して、前記レーザービームの光量を低下させた重ね書き記録である
請求項１に記載の光ディスク装置。
【請求項３】
前記著作権に関する情報の１ビットを前記光ディスクの円周方向に分散させて記録する
請求項１に記載の光ディスク装置。
【請求項４】
前記著作権に関する情報の１ビットを前記光ディスクの円周方向の１〔ｍｍ〕以上の長さに割り当てて記録する
請求項１に記載の光ディスク装置。
【請求項５】
前記著作権に関する情報の１ビットを、前記著作権に関する情報に比して転送速度の速い２進数列で順次演算して前記光ディスクに記録する
請求項１に記載の光ディスク装置。
【請求項６】
相変化型の光ディスクにレーザービームを照射して著作権に関する情報を記録する光ディスクのアクセス方法において、
前記著作権に関する情報を前記光ディスクの所定領域に記録した後、該領域へのレーザービームの照射により、前記著作権に関する情報の記録の程度を劣化させ、
前記該領域へのレーザービームの照射が、
前記光ディスクに記録された前記著作権に関する情報をマスクするマスク信号の重ね書き記録である
光ディスクのアクセス方法。
【請求項７】
光ディスクにレーザービームを照射して少なくとも前記光ディスクに記録されたデータを再生する光ディスク装置において、
前記光ディスクは、
相変化型の光ディスクであって、
前記著作権に関する情報を所定領域に記録した後、該領域へのレーザービームの照射により、前記著作権に関する情報の記録の程度が劣化され、
前記該領域へのレーザービームの照射が、
前記光ディスクに記録された前記著作権に関する情報をマスクするマスク信号の重ね書き記録であり、
前記著作権に関する情報は、各ビットが、前記著作権に関する情報に比して転送速度の速い２進数列であって、論理１と論理０との発生確率の等しい２進数列で順次演算して前記光ディスクに記録され、
前記光ディスク装置は、
前記光ディスクに前記レーザービームを照射して戻り光を受光することにより、前記光ディスクに形成されたマーク列に応じて信号レベルが変化する再生信号を出力する再生信号出力手段と、
前記再生信号を２値化した後、チャネルクロックにより信号レベルを判定することにより、前記光ディスクに形成されたマーク列のパターンを判定するパターン判定手段と、
前記パターン判定手段の判定結果に基づいて、前記光ディスクに形成されたマークのパターン毎に、前記再生信号の平均信号レベルを検出し、該平均信号レベルを前記再生信号から減算することにより、前記再生信号から前記マスク信号による信号レベルの変化を除去した後、信号レベルを判定し、前記光ディスクに記録された著作権に関する情報を再生する著作権情報の復号手段と、
前記著作権に関する情報により前記光ディスクへのアクセスを制御する制御手段とを備える
光ディスク装置。
【請求項８】
前記著作権情報の復号手段は、
前記再生信号を基準にして、所定の２進数列を生成する２進数列生成手段と、
前記パターン判定手段の判定結果に基づいて、前記マスク信号による前記再生信号の信号レベルの変化分を除去する減算手段と、
前記減算手段の減算結果と前記２進数列とを演算する演算手段と、
前記演算手段の演算結果を所定周期で積分して前記著作権に関する情報を出力する積分手段とを有する
請求項７に記載の光ディスク装置。
【請求項９】
前記制御手段は、
前記著作権に関する情報により前記光ディスクより再生されるデータの暗号化を解除することにより、前記光ディスクへのアクセスを制御する
請求項７に記載の光ディスク装置。
【請求項１０】
前記制御手段は、
前記著作権に関する情報により所定のデータを暗号化して前記光ディスクに記録すると共に、前記光ディスクより再生されるデータの暗号化を前記著作権に関する情報により解除することにより、前記光ディスクへのアクセスを制御する
請求項７に記載の光ディスク装置。
【請求項１１】
相変化型の光ディスクであって、
情報記録面の所定領域に、レーザービームの照射により著作権に関する情報が記録された後、該領域へのレーザービームの照射により、前記著作権に関する情報の記録の程度が劣化され、
前記所定領域へのレーザービームの照射が、
前記光ディスクに記録された前記著作権に関する情報をマスクするマスク信号の重ね書き記録である
光ディスク。
【請求項１２】
前記著作権に関する情報の１ビットが、前記著作権に関する情報に比して転送速度の速い２進数列で順次演算されて記録された
請求項１１に記載の光ディスク。
【請求項１３】
前記著作権に関する情報の１ビットが円周方向の１〔ｍｍ〕以上の長さに割り当てられて記録された
請求項１１に記載の光ディスク。
【発明の詳細な説明】
【０００１】
【発明の属する技術分野】
本発明は、光ディスク装置、光ディスクのアクセス方法及び光ディスクに関し、例えばミニディスク（ＭＤ）、コンパクトディスク（ＣＤ）、ディジタルビデオレコーダ（ＤＶＲ）等と、これらの記録再生装置に適用することができる。本発明は、著作権に関する情報を記録した後、重ね書き記録等により記録の程度を劣化させることにより、従来に比して一段と有効に著作権者の利益を保護することができるようにする。
【０００２】
【従来の技術】
従来、光ディスク装置であるミニディスク装置においては、種々のコンテンツより音質の劣化を防止して簡易に音楽をコピーできることにより、近年、急速に普及するようになされている。すなわちミニディスク装置においては、インターネットにより配信される音楽情報をミニディスクに記録して試聴することもでき、また友人等から借りたコンパクトディスクの音楽をミニディスクに記録して試聴することもできる。さらに他のミニディスクから音楽をコピーすることもできる。
【０００３】
しかしながらこのような音質の劣化を防止した簡易なコピーにおいては、ユーザの利便性を大きく高める反面、音楽を創作した著作権者の利益を損なう恐れもある。このため例えばＲＩＡＡ（Recording Industry Association of America ）、ＳＤＭＩ（Secure Digital Music Initiative ）、ＣＰＴＷＧ（Copy Protection Technical Working Group ）等の団体、フォーラムにおいて、著作権者の利益の保護を目的として種々の手法が検討されるようになされている。
【０００４】
このような手法の１つの方法として、記録媒体に固有の著作権保護情報により音楽情報を暗号化して記録する方法が提案されている。すなわちこの方法によれば、音楽情報を別の記録媒体にコピーした場合には、記録媒体で著作権保護情報が異なることにより暗号化を解除することが困難になり、これにより無制限のコピーを防止して著作権者の利益を保護しようとするものである。
【０００５】
このような著作権保護情報の記録方式については、ユーザーがアクセス困難なセクタを設け、このセクタに著作権保護情報を記録する方法、ピット列による主のデータの記録に対して反射膜を部分的に除去してバーコード状にこの種の情報を記録する方法（国際公開番号ＷＯ９７／１４１４４号）等が提案されるようになされている。
【０００６】
【発明が解決しようとする課題】
ところがこれらの方法においては、著作権者の利益を有効に保護する点で実用上未だ不十分な問題がある。
【０００７】
すなわちユーザーがアクセス困難にセクタを設け、このセクタに著作権保護情報を記録する方法にあっては、比較的簡易に著作権保護情報を記録することができる反面、その分著作権保護情報がコピーされ易い問題がある。
【０００８】
また反射膜の部分的な除去によりバーコード状にこの種の情報を記録する方法は、顕微鏡等により観察によりこの種の情報の記録を確認して複製でき、いわゆる海賊版を完全に防止できない問題がある。なお反射膜の除去に代えて、光ディスクの表面に部分的に不透明膜を作成することにより、同様にしてこの種の情報を記録する方法も考えられるが、この場合も反射膜を部分的に除去する場合と同様の問題がある。
【０００９】
本発明は以上の点を考慮してなされたもので、従来に比して一段と有効に著作権者の利益を保護することができる光ディスク装置、光ディスクのアクセス方法及び光ディスクを提案しようとするものである。
【００１０】
【課題を解決するための手段】
かかる課題を解決するため請求項１又は請求項６の発明においては、光ディスク装置又は光ディスクのアクセス方法に適用して、著作権に関する情報を相変化型の光ディスクの所定領域に記録した後、該領域へのレーザービームの照射により、著作権に関する記録の程度を劣化させる。ここでこの該領域へのレーザービームの照射が、光ディスクに記録された著作権に関する情報をマスクするマスク信号の重ね書き記録である。
【００１１】
また請求項７の発明においては、光ディスク装置に適用して、光ディスクに形成されたマークのパターン毎に、再生信号の平均信号レベルを検出し、該平均信号レベルを再生信号から減算することにより、再生信号からマスク信号による信号レベルの変化を除去した後、信号レベルを判定し、光ディスクに記録された著作権に関する情報を再生し、この著作権に関する情報により光ディスクへのアクセスを制御する。ここで光ディスクは、相変化型の光ディスクであって、前記著作権に関する情報を所定領域に記録した後、該領域へのレーザービームの照射により、前記著作権に関する情報の記録の程度が劣化され、前記該領域へのレーザービームの照射が、前記光ディスクに記録された前記著作権に関する情報をマスクするマスク信号の重ね書き記録であり、前記著作権に関する情報は、各ビットが、前記著作権に関する情報に比して転送速度の速い２進数列であって、論理１と論理０との発生確率の等しい２進数列で順次演算して前記光ディスクに記録される。
【００１２】
また請求項１１の発明においては、光ディスクに適用して、情報記録面の所定領域に、レーザービームの照射により著作権に関する情報が記録された後、該領域へのレーザービームの照射により、著作権に関する記録の程度が劣化されてなるようにする。ここでこの該領域へのレーザービームの照射が、光ディスクに記録された著作権に関する情報をマスクするマスク信号の重ね書き記録である。
【００１３】
請求項１又は請求項６の構成によれば、著作権に関する情報を光ディスクの所定領域に記録した後、該領域へのレーザービームの照射により、著作権に関する記録の程度を劣化させることにより、この著作権に関する情報については、容易に再生困難に、また発見困難とすることができ、これにより従来に比して一段と有効に著作権者の利益を保護することができる。
【００１４】
また請求項７の構成によれば、光ディスク装置に適用して、著作権に関する記録の程度を劣化させてなる光ディスクについても、著作権に関する情報を再生することができる。
【００１５】
また請求項１１の構成によれば、光ディスクに適用して、情報記録面の所定領域に、レーザービームの照射により著作権に関する情報が記録された後、該領域へのレーザービームの照射により、著作権に関する記録の程度が劣化されてなることにより、著作権者の利益を有効に保護することができる光ディスクを得ることができる。
【００１６】
【発明の実施の形態】
以下、適宜図面を参照しながら本発明の実施の形態を詳述する。
【００１７】
（１）実施の形態の構成
図１は、本発明の実施の形態に係る著作権情報記録装置を示すブロック図である。この実施の形態に係る光ディスクの製造工程では、この著作権情報記録装置１により光ディスク２に著作権保護情報ＥＤを記録して出荷する。
【００１８】
ここで著作権保護情報ＥＤは、著作権の保護に関する情報であり、光ディスク毎に異なる、光ディスク２に固有の情報であり、例えば光ディスク２に固有のＩＤ情報、製造工場に係る情報、製造年月日またはコピー可／不可を制御する情報等により構成される。著作権情報記録装置１は、必要に応じてこの著作権保護情報を管理する情報登録センター４に電話回線等を介してアクセスすることにより、著作権保護情報ＥＤを取得するようになされている。
【００１９】
光ディスク２は、書き換え可能な光ディスクであり、この実施の形態では相変化型光ディスク（フェーズチェンジ）である。光ディスク２は、ＣＡＶ方式又はＺＣＬＶ方式による光ディスクであり、図２（Ａ）に示すように、内周側の所定範囲が著作権保護情報の記録領域ＡＲＥＤに割り当てられる。なお図２は、ＣＡＶ方式による光ディスク２を説明する図である。光ディスク２は、さらに残りの外周側領域に放射状にアドレス領域ＡＲＤが形成され、このアドレス領域ＡＲＤの間に残る領域がユーザーデータの記録領域ＡＲＵに設定される。
【００２０】
ここで著作権保護情報の記録領域ＡＲＥＤは、ピット列とレーザービームのガイド溝であるグルーブとの繰り返しによるトラックが内周側より外周側にらせん状に形成される（図２（Ｂ））。著作権保護情報の記録領域ＡＲＥＤは、光ディスク２の１周にほぼ１個の割合でピット列が記録され、このピット列によりヘッダーが構成される。光ディスク２では、このヘッダーに、ヘッダーの開始を示すヘッダーパターン、トラック番号を特定するトラックアドレス等が記録されるようになされている。
【００２１】
これに対してアドレス領域ＡＲＤ及びユーザー領域ＡＲＵは、それぞれピット列によるトラック、グルーブによるトラックが割り当てられ、このトラックが著作権保護情報の記録領域ＡＲＥＤのトラックよりらせん状に連続するように形成される。光ディスク２は、このようなピット列及びグルーブが作成されてなるディスク基板に相変化膜が作成された後、保護膜等を作成して形成される。これにより光ディスク２は、グルーブを基準にしてトラッキング制御し、ピット列によるアドレスを基準にしてユーザーデータの記録領域ＡＲＵにオーディオデータ等を記録できるようになされている。
【００２２】
かくするにつき図２（Ｃ）に示すように、このようにして形成されるピット列においては、光ディスク２が微小回転角度Δだけ回転する周期の整数倍の周期によりピットＰ及びスペースが作成されるようになされている。
【００２３】
スピンドルモータ５は、図示しないサーボ回路２３の制御により光ディスク２より得られるチャンネルクロックを基準にして光ディスク２を所定の回転速度により回転駆動する。
【００２４】
光ピックアップ６は、光ディスク２にレーザービームを照射して戻り光を受光することにより光ディスク２に形成されたピット列に応じて信号レベルが変化する再生信号ＨＦ、トラッキングエラー量に応じて信号レベルが変化するトラッキングエラー信号、フォーカスエラー量に応じて信号レベルが変化するフォーカスエラー信号を生成する。光ピックアップ６は、これらトラッキングエラー信号及びフォーカスエラー信号を基準にしたサーボ回路の制御によりトラッキング制御及びフォーカス制御されるようになされている。
【００２５】
光ピックアップ６は、さらにレーザー制御回路７の制御により所定のタイミングでレーザービームの光量を立ち上げ、これにより光ディスク２にマーク列を形成して著作権保護情報ＥＤを記録し、またマスク信号ＥＸを記録する。
【００２６】
２値化回路８は、再生信号ＨＦを所定のスライスレベルにより２値化して２値化信号ＢＤを生成して出力する。
【００２７】
位置検出回路９は、この２値化信号ＢＤより光ディスク２におけるレーザービーム照射位置を示す位置情報ＰＯＳ、ＴＫを生成して出力する。すなわち図３に示すように、位置検出回路９において、ＰＬＬ回路１１は、２値化信号ＢＤを基準にして動作することにより、ピットＰの作成基準である微小回転角度Δだけ光ディスク２が回転する周期によるチャンネルクロックＣＫを生成して出力する。
【００２８】
アドレス検出回路１２は、このチャンネルクロックＣＫを基準にして２値化信号ＢＤの論理レベルを順次判定することにより、ヘッダーに割り当てられたトラックアドレスＴＫを検出して出力する。
【００２９】
ヘッダー検出回路１３は、同様にチャンネルクロックＣＫを基準にして２値化信号ＢＤの論理レベルを順次判定することにより、ヘッダーの開始を示すヘッダーパターンを検出し、この検出のタイミングをポジションカウンター１４に出力する。
【００３０】
ポジションカウンター１４は、このヘッダー検出回路１３より通知されるヘッダーパターン検出のタイミングによりカウント値をリセットし、順次チャンネルクロックＣＫをカウントする。ポジションカウンター１４は、このカウント値を回転角度情報ＰＯＳとして出力する。なおこの実施の形態においては、著作権保護情報の記録領域ＡＲＥＤにおいて、光ディスク２の１回転にほぼ１回の割合でヘッダーが割り当てられ、またピットＰの作成基準である微小回転角度Δが４．８×１０-4度に設定され、これによりポジションカウンター１４は、光ディスク２が１回転する間に値０〜ほぼ値７５４０００まで変化する回転角度情報ＰＯＳを出力するようになされている。
【００３１】
これにより位置検出回路９は、トラックアドレスＴＫと回転角度情報ＰＯＳとにより、それぞれ光ディスク２の半径方向及び円周方向について、レーザービーム照射位置を検出し、この位置検出結果を著作権保護情報変調回路１６に出力するようになされている。
【００３２】
著作権保護情報変調回路１６は、中央処理ユニット（ＣＰＵ）１７から出力される著作権保護情報ＥＤを位置検出回路９から出力される位置情報ＴＫ、ＰＯＳにより変調し、その結果得られる変調信号ＰＭを出力する。なおここで著作権保護情報ＥＤは、中央処理ユニット１７からシリアルデータの形式により供給され、このシリアルデータの１ビットが、光ディスク２上におけるレーザービーム照射位置のほぼ１〔ｍｍ〕以上の変位に対応するように、チャンネルクロックＣＫ等に比して極めて低い伝送速度により供給されるようになされている。
【００３３】
すなわち図４に示すように、著作権保護情報変調回路１６において、タイミング発生回路１８は、回転角度情報ＰＯＳを基準にしてレーザービーム照射位置が所定位置となると、Ｍ系列発生回路１９を初期化するリセット信号ＲＥＸを出力する。
【００３４】
Ｍ系列発生回路１９は、このリセット信号ＲＥＸで初期化された後、チャンネルクロックＣＫに同期した疑似乱数信号を出力する。この実施の形態において、Ｍ系列発生回路１９は、この疑似乱数信号として論理１と論理０が等確率で現れるＭ系列ＭＳを生成する。Ｍ系列発生回路１９は、例えば縦続接続された複数フリップフロップと、複数のイクスクルーシブオア回路の組み合わせにより構成され、これらのフリップフロップへの初期設定値をトラックアドレスＴＫに応じて切り換える等により、トラックアドレスＴＫに応じて、異なるＭ系列ＭＳを生成する。
【００３５】
イクスクルーシブオア回路２０は、著作権保護情報ＥＤと、Ｍ系列ＭＳとの排他的論理和を計算して出力する。すなわちイクスクルーシブオア回路２０は、著作権保護情報ＥＤが論理０のとき、Ｍ系列ＭＳをそのまま出力し、著作権保護情報ＥＤが論理１のとき、Ｍ系列ＭＳの極性を反転して出力する。
【００３６】
これにより著作権保護情報変調回路１６は、論理１と論理０がほぼ等確率で現れるように、著作権保護情報ＥＤを擾乱してなる変調信号ＰＭを生成する。この変調信号ＰＭにおいては、広い周波数帯域にスペクトラムが拡散されるのに対し、光ディスクの再生信号には一般的に、周波数の低いうねり（低周波変動）が観測される。これによりこの変調信号ＰＭを光ディスク２に記録した場合には、このような周波数の低いうねりによる影響を少なくすることができ、その分確実に著作権保護情報を再生することが可能となる。また再生信号においては、ノイズのような、広い周波数帯域に拡散されて検出されることにより、オシロスコープで観測した場合、著作権情報変調信号ＰＭがノイズのように見え、これにより著作権保護情報ＥＤの記録を発見困難とし、さらには海賊版ディスクの作成を困難とするようになされている。
【００３７】
マスク信号生成回路２１は、重ね書き記録により光ディスク２に記録された著作権保護情報ＥＤをマスクするマスク信号ＥＸを生成して出力する。ここでマスク信号生成回路２１は、所定の情報を例えば１−７変調、ＥＦＭ変調等により変調してマスク信号ＥＸを生成する。
【００３８】
セレクタＳＥＬは、中央処理ユニット１７の制御により、著作権保護情報変調回路１６から出力される変調信号ＰＭ、マスク信号ＥＸを選択出力する。
【００３９】
レーザー制御回路７は、セレクタＳＥＬの出力信号により光ピックアップ６より出力されるレーザービームの光量を再生時の光量より所定の記録時の光量に立ち上げる。これによりレーザー制御回路７は、変調信号ＰＭ、マスク信号ＥＸを光ディスク２に記録する。このときレーザー制御回路７は、中央処理ユニット１７の制御により、この記録時の光量を切り換え、これにより光ディスク２に作成するマークの幅を中央処理ユニット１７の制御により切り換えるようになされている。
【００４０】
中央処理ユニット１７は、この著作権情報記録装置１の動作を制御するコントローラを構成し、所定のタイミングでモデムＭを駆動して情報登録センター４をアクセスし、著作権保護情報ＥＤを取得する。さらに中央処理ユニット１７は、光ディスク２が装填されると、図示しないスレッド機構の制御により、光ピックアップ６を光ディスク２のリードインエリアにシークさせ、光ディスク２のアクセスを開始する。
【００４１】
中央処理ユニット１７は、このようにして光ディスク２のアクセスを開始してトラックアドレスＴＫが所定値になると、セレクタＳＥＬの接点を変調信号ＰＭ側に切り換えると共に、著作権保護情報変調回路１６への著作権保護情報ＥＤの供給を開始し、これにより著作権保護情報の記録領域ＡＲＥＤに著作権保護情報ＥＤを記録する。すなわち中央処理ユニット１７は、図５に示すように、レーザービームによるビームスポットの走査に伴い、順次変調信号ＰＭに応じたマークＭＥＤとスペースとを光ディスク２に形成し、著作権保護情報ＥＤを記録する。
【００４２】
中央処理ユニット１７は、このようにして著作権保護情報ＥＤを記録すると、スレッド機構の制御により光ピックアップ６を光ディスク２のリードインエリアに再びシークさせ、著作権保護情報ＥＤの記録開始位置になると、セレクタＳＥＬの接点をマスク信号ＥＸ側に切り換え、図５（Ｂ）に示すように、著作権保護情報ＥＤを記録した領域ＡＲＥＤにマスク信号ＥＸによるマークＭＥＸ及びスペースを記録して、マスク信号ＥＸを重ね書き記録する。
【００４３】
さらに中央処理ユニット１７は、この処理において、レーザー制御回路７の制御により、著作権保護情報ＥＤの記録時に比して、少ないレーザー光量によりマスク信号ＥＸを重ね書き記録する。これにより中央処理ユニット１７は、光ディスク２に記録した著作権保護情報ＥＤをマスク信号ＥＸにより覆い隠して著作権保護情報ＥＤの記録の程度を劣化させ、通常の光ディスク装置による再生によっては、著作権保護情報ＥＤを発見することができないようにする。これによりこの実施の形態では、著作権保護情報ＥＤを発見困難にして、海賊版の作成を困難とするようになされている。
【００４４】
すなわちこのようにマスク信号ＥＸを重ね書き記録した場合、一般的に、元の著作権保護情報ＥＤにおいては、何ら再生されないと考えられるが、一般的な相変化型光ディスクにおいては、重ね書き記録しない場合に比して３０〔ｄＢ〕程度信号レベルが低下して著作権保護情報ＥＤの再生信号が検出される。なおこの実施の形態では、レーザービームの光量を少なくして重ね書き記録していることにより、信号レベルの低下は、この一般的な場合より少なくなる。
【００４５】
これにより重ね書き記録したマスク信号ＥＸにおいては、著作権保護情報ＥＤの影響を受けて再生されることになる。図６は、この説明に供する信号波形図であり、チャンネルクロックＣＫ（図６（Ａ））を基準にして示すように、マスク信号ＥＸによるマークＭＥＸ及びスペースだけが作成されている状態をビームスポットＳＰにより走査して得られる再生信号ＨＦにおいては（図６（Ｂ）及び（Ｃ））、マークＭＥＸに応じて信号レベルが変化することになる。
【００４６】
これに対して事前に著作権保護情報ＥＤによるマークＭＥＤ及びスペースが形成されているトラック上に、マスク信号ＥＸを記録した場合（図６（Ｄ）、再生信号ＨＦにおいては、その分信号レベルが変化することになる（図６（Ｅ））。なおこの図６（Ｅ）においては、何ら事前に著作権保護情報ＥＤによるマークＭＥＤ及びスペースが作成されていない場合の信号波形を破線により示す。
【００４７】
これによりこの実施の形態では、マスク信号ＥＸの重ね書き記録により著作権保護情報ＥＤの記録を発見困難とし、さらには著作権保護情報ＥＤに係る再生信号をマスク信号ＥＸにより擾乱して、著作権保護情報を検出困難とするようになされている。
【００４８】
図７は、ユーザーにより使用される光ディスク装置を示すブロック図であり、この光ディスク装置６１により、上述したように著作権保護情報ＥＤが記録されてなる光ディスク２にオーディオデータ等を記録再生する。
【００４９】
すなわち光ディスク装置６１において、スピンドルモータ２２は、サーボ回路２３の制御によりこの光ディスク２を所定の回転速度で回転駆動する。
【００５０】
光ピックアップ２４は、光ディスク２の半径方向に可動できるように所定のスレッド機構により保持される。光ピックアップ２４は、光ディスク２にレーザービームを照射し、その戻り光を受光して受光結果を出力する。また記録時、光ピックアップ２４は、再生時の光量より記録時の光量にレーザービームの光量を間欠的に立ち上げ、これにより種々の情報を光ディスク２に記録する。
【００５１】
マトリクスアンプ（ＭＡ）２５は、光ピックアップ２４の出力信号を信号処理することにより、トラッキングエラー量に応じて信号レベルが変化するトラッキングエラー信号ＴＥ、フォーカスエラー量に応じて信号レベルが変化するフォーカスエラー信号ＦＳ、光ディスク２に作成されたピット列及びマーク列に応じて信号レベルが変化する再生信号ＨＦを生成して出力する。
【００５２】
サーボ回路２３は、これらトラッキングエラー信号ＴＥ、フォーカスエラー信号ＦＳにより光ピックアップ２４をトラッキング制御、フォーカス制御する。またサーボ回路２３は、再生信号ＨＦより生成されるクロックが所定周波数になるようにスピンドルモータ２２の回転速度を制御する。さらに再生信号ＨＦよりトラックアドレスを取得し、このトラックアドレスを基準にして光ピックアップ２４を所定位置にシークさせる。これらにより光ディスク装置６１では、図示しないコントローラによりユーザーの操作に応動して光ピックアップ２４をシークさせると共に記録再生系の動作を制御することにより、光ディスク２にオーディオデータ等を記録し、また光ディスク２に記録したオーディオデータ等を再生できるようになされている。
【００５３】
すなわち記録系において、暗号化回路２８は、図示しないコントローラから第２復号化回路２９で再生された著作権保護情報ＥＤが供給され、この著作権保護情報ＥＤにより、順次入力される入力データを暗号化して出力し、誤り訂正回路（ＥＣＣ：Error Correcting Code)３０は、この暗号化回路２８の出力データに誤り訂正符号を付加して出力する。続く変調回路３１は、この誤り訂正回路３０の出力データをＥＦＭ（Eight to Fourteen Modulation）変調して変調信号を生成し、この変調信号により光ピックアップ２４より出射されるレーザービームの光量を間欠的に立ち上げる。これにより光ディスク装置６１は、著作権保護情報ＥＤを使用した光ディスク２に固有の暗号化の処理よりオーディオデータ等を暗号化して記録するようになされている。
【００５４】
これに対して再生系において、２値化回路３３は、再生信号ＨＦと所定のスライスレベルとを比較することにより、再生信号ＨＦを２値化して２値化信号ＢＤを出力する。ＰＬＬ回路３４は、この２値化信号ＢＤを基準にして動作し、これにより光ディスク２に形成されたピット列を基準にしてチャンネルクロックＣＫを再生する。
【００５５】
復号回路３５は、このチャンネルクロックＣＫを基準にして２値化信号ＢＤを順次ラッチすることにより、再生信号ＨＦを２値識別して再生データを生成する。さらに復号回路３５は、記録時の変調に対応する復号化の処理を実行し、復号したデータを出力する。
【００５６】
誤り訂正回路（ＥＣＣ：Error Correcting Code)３６は、この復号回路３５の出力データを誤り訂正処理して出力する。なおこのような誤りは、例えば光ディスク２上のディフェクト等に起因して生じるものである。暗号化解除回路３７は、著作権保護情報ＥＤを基準にしてこの再生データの暗号化を解除して出力する。これにより光ディスク装置６１では、著作権保護情報ＥＤを基準にした光ディスク２に固有の暗号化の処理よりオーディオデータ等を再生して出力するようになされている。
【００５７】
アナログディジタル変換回路（ＡＤ）４０は、チャンネルクロックＣＫにより再生信号ＨＦを順次アナログディジタル変換処理し、８ビットのディジタル再生信号ＤＸを出力する。
【００５８】
第２復号回路４１は、著作権保護情報の記録領域ＡＲＥＤより得られるこのディジタル再生信号ＤＸを処理することにより著作権保護情報ＥＤを復号して出力する。
【００５９】
すなわち図８は、この第２復号回路４１を示すブロック図である。なお以下に説明する第２復号回路４１においては、必要に応じて各ブロック間に、タイミング合わせ用のバッファが介挿される。この第２復号回路４１において、位置検出回路４３は、図３について上述した著作権情報記録装置１の位置検出回路９と同一に構成され、これにより記録時と同一の、位置情報ＴＫ及びＰＯＳを出力する。
【００６０】
タイミング発生回路４４及びＭ系列発生回路４５は、図４について上述した著作権情報記録装置１のタイミング発生回路１８及びＭ系列発生回路１９とそれぞれ同一に構成され、これにより記録時と同一のＭ系列ＭＳを再生する。
【００６１】
パターン判定回路４６は、チャンネルクロックＣＫを基準にして、２値化信号ＢＤの信号レベルを判定することにより、レーザービーム照射位置の前後所定範囲について、マスク信号ＥＸにより光ディスク２に作成されたマーク及びスペースの長さを判定して判定結果ＰＴを出力する。
【００６２】
パターン別平均値回路４７は、パターン判定回路４６による判定結果ＰＴを基準にして、著作権保護情報ＥＤの再生に必要な判定基準レベルを生成する。ここでこの実施の形態においては、記録時、Ｍ系列ＭＳにより著作権保護情報ＥＤを変調して論理１及び論理０とが等確率で現れる変調信号ＰＥを生成し、この変調信号ＰＥにより著作権保護情報ＥＤを記録したことにより、再生信号ＨＦを各チャンネルクロックＣＫでサンプリングして得られるディジタル再生信号ＤＸの信号レベルにおいては、変調信号ＰＥの論理１及び論理０による影響がほぼ等確率により現れる。
【００６３】
これによりパターン別平均値回路４７は、ディジタル再生信号ＤＸの信号レベルを各パターン毎に平均値化することにより、変調信号ＰＥの論理１及び論理０による影響がほぼ平均値化されてなる基準信号レベルをマーク列のパターン毎に生成する。さらにこのようにした基準信号レベルをパターン判定回路４６による判定結果ＰＴに応じて出力する。
【００６４】
減算回路４８は、このパターン別平均値回路４７より出力される基準信号レベルをディジタル再生信号ＤＸより減算し、減算結果を出力する。これにより減算回路４８は、ディジタル再生信号ＤＸにおけるマスク信号ＥＸの影響を取り除く。
【００６５】
これによりパターン別平均値回路４７及び減算回路４８は、後述する演算回路４９、積分回路（Σ）５０、判定回路５１と共に、パターン判定手段の判定結果に基づいて、マーク列による再生信号の信号レベルの変化分を除去して再生信号の信号レベルを判定し、この光ディスクに記録された著作権に関する情報を再生する著作権情報の復号手段を構成するようになされている。
【００６６】
演算回路４９は、Ｍ系列ＭＳに応じて減算回路４８の出力データの極性を反転させて出力する。これにより演算回路４９は、Ｍ系列ＭＳが論理０のとき、減算回路４８の出力データをそのまま出力するのに対し、Ｍ系列ＭＳが論理１のとき、減算回路４８の出力データの極性を反転して出力する。
【００６７】
積分回路５０は、例えば２４ビットのディジタル加算器であり、記録時における著作権保護情報の１ビットに対応する周期で演算回路４９の出力データを積分する。
【００６８】
判定回路５１は、所定のしきい値により積分回路５０の積分結果を判定し、これにより著作権保護情報ＥＤの各ビットを復号して順次出力する。
【００６９】
光ディスク装置６１においては、図示しないコントローラの制御により、光ディスク２が装填されると、通常のリードインエリアのアクセスと共に、著作権保護情報の記録領域ＡＲＥＤをアクセスするように、コントローラにより全体の動作が制御され、これにより第２復号回路４１により著作権保護情報ＥＤが復号される。さらにこの著作権保護情報ＥＤにより上述した記録再生系における暗号化の処理が実行され、これによりいわゆる海賊盤についてアクセスを制限するようになされている。
【００７０】
（２）実施の形態の動作
以上の構成において、この実施の形態に係る光ディスクの製造工程では、光ディスク２の出荷時、著作権情報記録装置１（図１）により光ディスク２の内周側領域ＡＲＥＤ（図２）に、光ディスク２に固有の著作権保護情報ＥＤが記録される。
【００７１】
この記録において、著作権情報記録装置１においては、情報登録センター４より光ディスク２に固有の著作権保護情報ＥＤが供給され、この著作権保護情報ＥＤが光ディスク２の内周側、著作権保護情報の記録領域ＡＲＥＤ（図２）に記録された後、所定のマスク信号ＥＸが重ね書き記録され、これにより著作権保護情報ＥＤの記録の程度が劣化されてマスク信号ＥＸにより著作権保護情報が覆い隠される。このようにしてマスク信号ＥＸが重ね書き記録されてなる著作権保護情報ＥＤは、通常の再生系によっては再生困難な程度に、再生信号におけるＳＮ比が約３０〔ｄＢ〕程度劣化するように、記録の程度が劣化するものの、再生信号における信号レベルの変化として観察可能である。これによりこの光ディスク２にシステムにおいては、発見困難に、光ディスク２に著作権保護情報ＥＤを記録することができる。
【００７２】
このようにして光ディスク２に記録される著作権保護情報ＥＤは、光ディスク２の円周方向の１〔ｍｍ〕程度の長さの領域に１ビットが割り当てられるように、チャンネルクロックＣＫに比して十分に長い周期により光ディスク２に記録される。これによりこの実施の形態では、このように著しく記録の程度が劣化している場合でも、このように光ディスク２の長い距離の再生結果を総合的に判定して、正しく著作権保護情報ＥＤを再生することが可能となる。
【００７３】
このようにして記録されるにつき、著作権保護情報ＥＤは、さらに擾乱されて発見困難に記録される。すなわちマスク信号ＥＸにおいては、所定の情報を変調して生成され、これにより著作権保護情報ＥＤに係る再生信号においては（図５及び図６）、このように記録の程度が劣化して極めて小さな信号の変化として観察される信号レベルの変化が、この変化に比して格段的に大きなマスク信号ＥＸによる信号レベルの変化により乱され、これによりオシロスコープ等による波形観測、さらには単なる一定の信号レベルを基準にした判定によっては、検出困難とされる。
【００７４】
また著作権保護情報ＥＤは、著作権保護情報の記録領域ＡＲＥＤに設定されたヘッダーを基準にして（図２）、２進数系列であるＭ系列ＭＳが生成され（図３及び図４）、このＭ系列ＭＳにより擾乱されて光ディスク２に記録され、これにより光ディスク２の長い距離に１ビットを割り当てて記録する場合であっても、再生信号においてノイズのような信号波形の変化として観察されるようになされ、これによっても発見困難とされる。特に、このとき論理１と論理０とか等確率により発生するＭ系列ＭＳにより著作権保護情報ＥＤが擾乱されることにより、再生信号においては、この著作権保護情報ＥＤの記録がホワイトノイズとして観察されることになり、これによっても著作権保護情報ＥＤを発見困難とすることができる。
【００７５】
またトラックアドレスＴＫにより各トラックで異なるようにＭ系列ＭＳが生成されることによっても、ノイズとして観察されるようになり、これによっても一段と発見困難とすることができる。
【００７６】
またこのようにして記録の程度を低下させて記録した著作権保護情報ＥＤにおいては、簡易に発見することが困難なだけではなく、例え発見されたとしても複製困難な特徴がある。すなわち微小な再生信号の信号レベルの変化として検出され、またマスク信号ＥＸ、Ｍ系列ＭＳによる擾乱により結局、暗号化されて記録されていることになり、これによって複製することも困難になる。これによりこの光ディスク２においては、海賊版の作成を困難として著作権者の利益を有効に保護することができる。
【００７７】
かくするにつきこの光ディスク２においては、光ディスク装置６１に装填されると（図７）、始めにリードインエリアの情報等と共に、この著作権保護情報ＥＤが再生され、この著作権保護情報ＥＤによりオーディオデータ等が暗号化されて光ディスク２に記録され、また光ディスク２に記録されたオーディオデータ等の暗号化が解除される。これにより例えばこのような著作権保護情報ＥＤが記録されていない光ディスク２の場合にあっては、正しくオーディオデータの暗号化を解除することが困難になり、またこのように正しく暗号化を解除可能にオーディオデータ等を暗号化することが困難になる。このような著作権保護情報ＥＤが記録されていない光ディスクにおいては、海賊版等の不正な流通に係る製品と考えられ、これらによりこの実施の形態によれば、このような海賊版の価値を著しく低下させて著作権者の利益を保護することができる。
【００７８】
この著作権保護情報ＥＤの再生において、光ディスク装置６１では、光ディスク２に形成されたマーク列に応じて信号レベルが変化する再生信号ＨＦが、アナログディジタル変換回路４０によりディジタル再生信号ＤＸに変換され、このディジタル再生信号ＤＸの第２復号回路４１における処理により著作権保護情報ＥＤが再生される。
【００７９】
具体的に、光ディスク装置６１では（図７）、パターン判定回路４６において、レーザービーム照射位置の前後、所定範囲についてのマーク列のパターンが検出され、パターン別平均値回路４７において、この検出結果により、各パターン毎に、ディジタル再生信号ＤＸの信号レベルが平均値化される。さらにこの平均値化された信号レベルが、パターン判定回路４６によるパターン判定結果ＰＴに応じて、ディジタル再生信号ＤＸより減算され、これによりマスク信号ＥＸによる擾乱が解除される。すなわちディジタル再生信号ＤＸにおいては、重ね書き記録によるマーク列による信号レベルの変化が除去される。
【００８０】
光ディスク装置６１では、このようにしてマーク列による信号レベルの変化が除去されてなるディジタル再生信号ＤＸが、演算回路４９において、記録時と同様のＭ系列ＭＳと演算されてＭ系列による擾乱が解除される。さらに続く積分回路５０によりこの演算結果が積分されて、小さな信号レベルの変化として観察される著作権保護情報ＥＤにおけるノイズの影響が除去され、続く判定回路５１により２値識別される。これにより光ディスク装置６１では、マスク信号ＥＸにより記録の程度が劣化されてなる著作権保護情報ＥＤを確実に再生することができ、この著作権保護情報ＥＤにより著作権者の利益を有効に保護することができる。
【００８１】
（３）実施の形態の効果
以上の構成によれば、著作権に関する情報である著作権保護情報を記録した後、レーザービームの照射により、この著作権に関する記録の程度を劣化させることにより、発見困難に著作権に関する情報を記録することができ、これにより従来に比して一段と有効に著作権者の利益を保護することができる。
【００８２】
またこのとき所定の情報の重ね書き記録によるレーザービームの照射により、著作権に関する記録の程度を劣化させることにより、この情報により著作権に関する情報を発見困難にすることができ、これによっても一段と有効に著作権者の利益を保護することができる。
【００８３】
またレーザービームの光量を低下させた所定の情報の重ね書き記録により、著作権に関する記録の程度を劣化させることにより、著作権に関する情報の記録の程度の劣化を、このレーザービーム光量の設定により調整することができ、これによりこのようにして記録した著作権に関する情報を確実に再生可能とすることができる。
【００８４】
また著作権に関する情報の１ビットを光ディスクの円周方向に分散させて、すなわちチャンネルクロックに比して十分に長い距離に割り当てて記録することによっても、このようにして記録した著作権に関する情報を確実に再生可能とすることができる。
【００８５】
特に、著作権に関する情報の１ビットを光ディスクの円周方向の１〔ｍｍ〕以上の長さに割り当てて記録することにより、実用上十分に確実に著作権に関する情報を再生可能とすることができる。
【００８６】
またこのとき著作権に関する情報の１ビットを所定の２進数系列により擾乱させて記録することによっても、著作権に関する情報を発見困難にすることができ、これによっても一段と有効に著作権者の利益を保護することができる。
【００８７】
これに対して再生側においては、光ディスクに形成されたマーク列のパターンに基づいて、マーク列による再生信号の信号レベルの変化分を除去し、信号レベルを判定して著作権に関する情報を再生することにより、このようにして光ディスクに記録された著作権に関する情報を確実に再生することができる。
【００８８】
特に、２進数列を生成して記録時の２進数系列による擾乱を解除した後、積分して著作権に関する情報を復号することにより、このように発見困難に記録した著作権に関する情報を確実に再生することができる。
【００８９】
（４）他の実施の形態
なお上述の実施の形態においては、所定の情報を変調してマスク信号を生成する場合について述べたが、本発明はこれに限らず、種々の信号によりマスク信号を作成することができる。
【００９０】
また上述の実施の形態においては、マスク信号の重ね書き記録により著作権に関する情報の記録の程度を劣化させる場合について述べたが、本発明はこれに限らず、例えば一定光量によるレーザービームの照射等による消去の処理により記録の程度を低下させるようにしてもよい。
【００９１】
また上述の実施の形態においては、マスク信号の記録により、さらにはＭ系列との演算により、著作権に関する情報を擾乱させる場合について述べたが、本発明はこれに限らず、実用上十分に著作権に関する情報を秘密にすることができる場合には、これらの処理を省略してもよい。
【００９２】
また上述の実施の形態においては、著作権に関する情報の１ビットを１〔ｍｍ〕以上の距離に割り当てる場合について述べたが、本発明はこれに限らず、必要に応じて１ビットを割り当てる距離は種々に設定することができる。
【００９３】
また上述の実施の形態においては、シリアルデータにより著作権に関する情報を記録する場合について述べたが、本発明はこれに限らず、例えば著作権に関する情報の複数ビットを循環的に繰り返してなるデータ列により著作権に関する情報を記録する場合等にも広く適用することができる。
【００９４】
また上述の実施の形態においては、本発明を記録可能な光ディスクである相変化光ディスクに適用する場合について述べたが、本発明はこれに限らず、同様の記録再生可能な光ディスクである光磁気ディスクに適用することもでき、さらには再生専用の光ディスクにも適用することができる。
【００９５】
また上述の実施の形態においては、著作権に関する情報を用いた暗号化の処理により光ディスクへのアクセスを制御する場合について述べたが、本発明はこれに限らず、記録再生系の動作を停止制御することにより光ディスクへのアクセスを制御する場合、さらには再生信号の出力の停止により光ディスクへのアクセスを制御する場合等に広く適用することができる。
【００９６】
また上述の実施の形態においては、ＣＡＶ、ＺＣＬＶ方式の光ディスクに本発明を適用する場合について述べたが、本発明はこれに限らず、ＣＡＶ、ＺＣＡＶ方式の光ディスクにも広く適用することができる。
【００９７】
また上述の実施の形態においては、著作権に関する情報として光ディスクに固有の情報を割り当てる場合について述べたが、本発明はこれに限らず、例えばオーディオデータ等を記録して販売する場合には、アーティストに固有の情報等により著作権に関する情報を構成してもよい。
【００９８】
また上述の実施の形態においては、著作権に関する情報を光ディスクの内周側所定領域に記録する場合について述べたが、本発明はこれに限らず、種々の領域に記録することができ、例えば複数の領域に分散させて記録することもできる。
【００９９】
【発明の効果】
上述のように本発明によれば、著作権に関する情報を記録した後、重ね書き記録等により記録の程度を劣化させることにより、従来に比して一段と有効に著作権者の利益を保護することができる。
【図面の簡単な説明】
【図１】本発明の実施の形態に係る著作権情報記録装置を示すブロック図である。
【図２】図１の著作権情報記録装置により著作権保護情報を記録する光ディスクの説明に供する略線図である。
【図３】図１の著作権情報記録装置における位置検出回路を示すブロック図である。
【図４】図１の著作権情報記録装置における著作権保護情報変調回路を示すブロック図である。
【図５】図１の著作権情報記録装置による重ね書き記録の説明に供する平面図である。
【図６】図５の重ね書き記録と再生信号との関係を示す略線図である。
【図７】図１の著作権情報記録装置による光ディスクの光ディスク装置を示すブロック図である。
【図８】図７の光ディスク装置の第２復号回路を示すブロック図である。
【符号の説明】
１……著作権情報記録装置、２……光ディスク、６、２４……光ピックアップ、８、３３……２値化回路、９、４３……位置検出回路、１６……著作権保護情報変調回路、１９、４５……Ｍ系列発生回路、２０……イクスクルーシブオア回路、２１……マスク信号生成回路、装置、１１……光ピックアップ、４０……アナログディジタル変換回路、４１……第２復号回路、６１……光ディスク装置
【図１】
0004310890.tif 000002
【図２】
0004310890.tif 000003
【図３】
0004310890.tif 000004
【図４】
0004310890.tif 000005
【図５】
0004310890.tif 000006
【図６】
0004310890.tif 000007
【図７】
0004310890.tif 000008
【図８】
0004310890.tif 000009